(57)【要約】【課題】触媒の温度を所定値以下に抑制する内燃機関の燃料噴射制御装置を提供する。【解決手段】燃料を噴射する噴射バルブ１１８と、排気通路に設けられ排気を浄化する排気浄化触媒１２７とを備え、高負荷運転領域にて燃料噴射量を増量させる内燃機関の、燃料噴射制御装置において、排気浄化触媒１２７の触媒温度を推定する触媒温度推定手段と、排気浄化触媒１２７に吸着する酸素の吸着量を検出する酸素吸着量検出手段と、酸素吸着量検出手段により検出された酸素の吸着量に応じて触媒温度推定手段により推定された触媒温度を補正する触媒温度補正手段と、触媒温度補正手段により補正された触媒温度が閾値温度より高い場合に、噴射バルブ１２７を制御し燃料噴射量を増量する制御手段とを有する。【選択図】  図１
2012251428.tif 000002
【特許請求の範囲】
【請求項１】
燃料を噴射する噴射バルブと、排気通路に設けられ排気を浄化する排気浄化触媒とを備え、高負荷運転領域にて燃料噴射量を増量させる内燃機関の、燃料噴射制御装置において、
前記排気浄化触媒の触媒温度を推定する触媒温度推定手段と、
前記排気浄化触媒に吸着する酸素の吸着量を検出する酸素吸着量検出手段と、
前記酸素吸着量検出手段により検出された酸素の吸着量に応じて、前記触媒温度推定手段により推定された触媒温度を補正する触媒温度補正手段と、
前記触媒温度補正手段により補正された前記触媒温度が閾値温度より高い場合に、前記噴射バルブを制御し前記燃料噴射量を増量する制御手段とを有する
ことを特徴とする内燃機関の燃料噴射制御装置。
【請求項２】
前記触媒温度補正手段は、
前記酸素の吸着量が多いときに、酸素の吸着量が少ないときと比べ、前記推定触媒温度を高くする
ことを特徴とする請求項１記載の内燃機関の燃料噴射装置。
【請求項３】
前記内燃機関の空燃比を測定する空燃比センサをさらに備え、
前記触媒温度補正手段は
前記空燃比センサにより検出された空燃比が所定の空燃比より高い場合に、前記触媒温度を高くする
ことを特徴とする請求項１又は２記載の内燃機関の燃料噴射装置。
【請求項４】
前記内燃機関の空燃比を測定する空燃比センサと、
前記内燃機関の吸入空気量を測定する吸入空気量センサとをさらに備え、
前記酸素吸着量検出手段は、
前記空燃比センサにより測定される前記空燃比及び前記吸入空気量センサにより測定される前記吸入空気量を用いて、前記酸素の吸着量を検出する
ことを特徴とする請求項１又は２記載の内燃機関の燃料噴射装置。
【発明の詳細な説明】
【技術分野】
【０００１】
本発明は、内燃機関の燃料噴射制御装置に関するものである。
【背景技術】
【０００２】
エンジンの運転状態が所定の燃料増量領域にある時に燃料制御手段による燃料供給の制御に増量補正をかける燃料増量手段と、エンジンの運転状態が所定の燃料カット領域にある時に燃料制御手段による燃料供給を停止させる燃料カット手段とを備えたエンジンの制御手段であって、エンジンの運転状態が前記燃料カット領域から前記燃料増量領域へ移行した時を検出し、その移行時から所定期間作動して前記燃料増量手段による燃料の増量補正を制限することで、エンジンの排気通路に設けられた触媒の過熱を抑えるエンジンの制御装置が知られている（特許文献１）。
【先行技術文献】
【特許文献】
【０００３】
【特許文献１】特開平５−１７１９７２号公報
【発明の概要】
【発明が解決しようとする課題】
【０００４】
しかしながら、燃料カット直後の燃料増量ほど急激な触媒温度上昇は無いものの、前記所定期間の間に、燃料の増量が制限される分、触媒の温度が所定値より上昇する可能性があった。
【０００５】
本発明が解決しようとする課題は、触媒の温度を所定値以下に抑制する内燃機関の燃料噴射制御装置を提供することである。
【課題を解決するための手段】
【０００６】
本発明は、排気浄化触媒の内部に吸着する酸素の吸着量に応じて、推定された触媒温度を補正し、補正された触媒温度が閾値温度より高くなった場合に、噴射バルブを制御し前記燃料噴射量を増量することによって上記課題を解決する。
【発明の効果】
【０００７】
本発明によれば、触媒に酸素が吸着している状態で、燃料噴射量を増量させることによって触媒温度が上昇した場合でも、実際の触媒温度は低い温度から上昇するため、触媒温度を所定値以下に抑制することができる。
【図面の簡単な説明】
【０００８】
【図１】本発明の実施形態を適用した内燃機関を示すブロック図である。
【図２】図１の内燃機関において、（ａ）は時間に対する運転領域の変化を示すグラフであり、（ｂ）は時間に対する排気浄化触媒の入口温度及び触媒内部温度の特性を示すグラフであり、（ｃ）は時間に対する燃料噴射量の増量率の特性を示すグラフである。
【図３】図１のエンジンコントロールユニットにおける制御手順を示すフローチャートである。
【図４】図１の内燃機関において、酸素吸着量に対するオーバーシュートの温度上昇の特性を示すグラフである。
【図５】図１の内燃機関において、オーバーシュートの温度上昇に対する補正値の特性を示すグラフである。
【図６】図１の内燃機関において、酸素吸着量に対するオーバーシュートの温度上昇の特性を示すグラフである。
【図７】図１の内燃機関において、オーバーシュートによる温度上昇に対する補正値の特性を示すグラフである。
【図８】図１の内燃機関において、検出空燃比に排気ガス量を乗じた値に対するオーバーシュートによる温度上昇の特性を示すグラフである。
【発明を実施するための形態】
【０００９】
以下、本発明の実施形態を図面に基づいて説明する。
【００１０】
《第１実施形態》
図１は、本例に係る燃料噴射制御装置を適用したエンジンを示すブロック図であり、エンジンの吸気通路１１１には、エアークリーナ１１２、吸入空気量を検出するエアフローメータ１１３、吸入空気流量を制御するスロットルバルブ１１４およびコレクタ１１５が設けられている。
【００１１】
スロットルバルブ１１４には、当該スロットルバルブ１１４の開度を調整するＤＣモータ等のアクチュエータ１１６が設けられている。このスロットルバルブアクチュエータ１１６は、運転者のアクセルペダル操作量等に基づき演算される要求トルクを達成するように、エンジンコントロールユニット１１からの駆動信号に基づき、スロットルバルブ１１４の開度を電子制御する。また、スロットルバルブ１１４の開度を検出するスロットルセンサ１１７が設けられて、その検出信号をエンジンコントロールユニット１１へ出力する。なお、スロットルセンサ１１７はアイドルスイッチとしても機能させることができる。
【００１２】
また、コレクタ１１５から各気筒に分岐した吸気通路１１１ａに臨ませて、燃料噴射バルブ１１８が設けられている。燃料噴射バルブ１１８は、エンジンコントロールユニット１１において設定される駆動パルス信号によって開弁駆動され、図外の燃料ポンプから圧送されてプレッシャレギュレータにより所定圧力に制御された燃料を吸気通路１１１ａ内に噴射する。燃料噴射方式は、シリンダ１１９内に直接燃料を噴射する方式でもよい。
【００１３】
シリンダ１１９と、当該シリンダ内を往復移動するピストン１２０の冠面と、吸気バルブ１２１及び排気バルブ１２２が設けられたシリンダヘッドとで囲まれる空間が燃焼室１２３を構成する。点火プラグ１２４は、各気筒の燃焼室１２３に臨んで装着され、エンジンコントロールユニット１１からの点火信号に基づいて吸入混合気に対して点火を行う。
【００１４】
一方、排気通路１２５には、排気中の特定成分、たとえば酸素濃度を検出することにより排気、ひいては吸入混合気の空燃比を検出する空燃比センサ１２６が設けられ、その検出信号はエンジンコントロールユニット１１へ出力される。そして、エンジンコントロールユニット１１は、当該検出信号に基づき空燃比フィードバック制御を行う。なお、この空燃比センサ１２６は、リッチ・リーン出力する酸素センサであっても良いし、空燃比をリニアに広域に亘って検出する広域空燃比センサであってもよい。
【００１５】
また、排気通路１２５には、排気を浄化するための排気浄化触媒１２７が設けられている。この排気浄化触媒１２７としては、ストイキ（理論空燃比，λ＝１、空気重量／燃料重量＝１４．７）近傍において排気中の一酸化炭素ＣＯと炭化水素ＨＣを酸化するとともに、窒素酸化物ＮＯｘの還元を行って排気を浄化することができる三元触媒、或いは排気中の一酸化炭素ＣＯと炭化水素ＨＣの酸化を行う酸化触媒を用いることができる。
【００１６】
エンジンコントロールユニット１１には、排気浄化触媒１２７を高温から保護するために、限界閾値温度（Ｔｍ）が設定されている。当該限界閾値温度（Ｔｍ）は、排気通路１２５に設けられる触媒１２７に応じて予め設定される温度であり、例えば触媒の耐熱許容温度に基づいて設定される。すなわち、本例では、後述するように、排気浄化触媒１２７の温度が限界閾値温度を超えないような制御を行う。比較例として、例えば、増量を行なう運転領域を予め余裕を持たせて広めに設定し、運転領域が高負荷運転領域になった時点で噴射燃料を増量する制御を行うとすると、排気浄化触媒１２７の触媒内部温度が低い時にも、高負荷運転領域における噴射燃料の増量が行われて、噴射燃料の増量による燃費性能が悪くなる可能性があるのに対し、ここでは、排気浄化触媒１２７の触媒内部温度に対する燃料増量閾値温度を設定し、噴射燃料の増量を制御するため、不必要な増量を削減し燃費性能を高めることができる。
【００１７】
排気通路１２５の排気浄化触媒１２７の上流側であり、排気浄化触媒１２７の入口部分には、排気ガスの温度を検出する排気温度センサ１３２が設けられ、その検出信号はエンジンコントロールユニット１１へ出力される。
【００１８】
排気通路１２５の排気浄化触媒１２７の下流側には、排気中の特定成分、たとえば酸素濃度を検出し、リッチ・リーン出力する酸素センサ１２８が設けられ、その検出信号はエンジンコントロールユニット１１へ出力される。なお、図１において１２９はマフラである。
【００１９】
エンジンＥＧのクランク軸１３０にはクランク角センサ１３１が設けられ、エンジンコントロールユニット１１は、クランク角センサ１３１から機関回転と同期して出力されるクランク単位角信号を一定時間カウントすることで、又は、クランク基準角信号の周期を計測することで、機関回転速度を検出することができる。
【００２０】
次に、エンジンコントロールニット１１の制御について、説明する。エンジンコントロールユニット１１は、アクセル開度及びクランク角センサ出力に基づくエンジン回転速度から、エンジン負荷に応じた運転状態を検出し、検出された運転状態毎に噴射バルブ１１８から噴射される燃料噴射量を制御する。通常の運転状態の時には、エンジンコントロールユニット１１は、空燃比フィードバック制御に基づく燃料噴射量を噴射するように燃料噴射バルブ１１８を制御する。通常の運転状態の時と比べ高負荷である高負荷運転領域の場合には、エンジンコントロールユニット１１は、（同じ運転条件下の）空燃比フィードバック制御に基づく燃料噴射量よりも増量させることで、未燃の燃料により排気浄化触媒１２７を冷却する。高負荷運転領域に相当するエンジン回転速度及びアクセル開度を超える燃料カット領域の場合には、エンジンコントロールユニット１１は燃料をカットする。
【００２１】
エンジンコントロールユニット１１は、制御機能の一部として、触媒温度推定部１１ａと酸素吸着量検出部１１ｂと触媒温度補正部１１ｃを有している。触媒温度推定部１１ａは、排気温度センサ１３２の検出信号から触媒入口の温度を検出し、触媒入口の温度から排気浄化触媒１２７の内部温度として推定する。触媒入口の温度の推移と排気浄化触媒１２７の内部温度の推移とが完全に一致することはないが、ある程度の相関性があるため、触媒温度推定部１１ａは、排気温度センサ１３２の検出信号から排気浄化触媒１２７の触媒内部温度を推定する。触媒内部温度の推定は、触媒上流に設けられた排気温度センサの検出信号に基づくものに限らず、既に知られた方法のいずれかを採用することができる。
【００２２】
また酸素吸着量検出部１１ｂは、空燃比センサ１２６の検出信号から空燃比を検出し、検出空燃比と理論空燃比との比較結果から、排気浄化触媒１２７に吸着している酸素吸着量を、例えば積算演算等によって検出する。すなわち、空燃比がリーンな場合には、排気浄化触媒１２７に供給される酸素量も多くなるため、酸素吸着量検出部１１ｂは、理論空燃比に対する検出空燃比から、排気浄化触媒１２７の酸素吸着量の増加分を検出する。酸素吸着量の検出は、触媒上流に設けられた空燃比センサの検出信号に基づくものに限らず、既に知られた方法のいずれかを採用することができる。
【００２３】
触媒温度補正部１１ｃは、酸素吸着量検出部１１ｂにより検出された酸素吸着量に応じて、触媒温度推定部１１ａにより推定された触媒温度を補正する。なお、補正方法については後述する。エンジンコントロールユニット１１には、上記の限界閾値温度（Ｔｍ）の他に、限界閾値温度（Ｔｍ）より低い温度である燃料増量閾値温度（Ｔａ）が予め設定されている。
【００２４】
ここで、排気浄化触媒１２７の触媒温度、排気浄化触媒１２７の触媒入口温度及び閾値温度（Ｔａ及びＴｍ）と、酸素吸着量との関係について説明する。例えば燃料カット後、排気浄化触媒１２７には、多くの酸素が吸着し、排気浄化触媒１２７の酸素吸着量が多い状態にある。かかる状態で、燃料噴射量を増量させると、増量された燃料が吸着酸素と急激に反応するため、排気浄化触媒１２７の内部温度が上昇する（以下、本例では、触媒内部温度のオーバーシュートとも称する）。そして、この現象は、排気浄化触媒１２７の酸素吸着量が多いほど、排気浄化触媒１２７の内部温度の上昇、言い換えると、オーバーシュートによる温度上昇が大きくなる。
【００２５】
燃料カット後でなくても、触媒に酸素が吸着されている状態から燃料増量が行なわれると、オーバーシュートが生じる。オーバーシュートが起こった場合に、排気浄化触媒１２７の内部の触媒温度が限界閾値温度（Ｔｍ）となった時点で燃料増量を開始しても、排気浄化触媒１２７の内部の触媒温度は限界閾値温度（Ｔｍ）より高くなる可能性がある。そこで、オーバーシュートが起きても排気浄化触媒１２７の内部の触媒温度が限界閾値温度（Ｔｍ）を越えることが無いように、限界閾値温度（Ｔｍ）より低い温度の燃料増量閾値温度を設定し、排気浄化触媒１２７の内部の触媒温度が閾値温度に達した時点で燃料増量を開始することにしている。
【００２６】
さらに本例では、触媒温度補正部１１ｃは、酸素吸着量検出部１１ｂにより検出された酸素吸着量が所定の閾値吸着量より多い場合に、触媒温度推定部１１ａにより推定された温度を高い温度に補正する。酸素吸着量は触媒上流の空燃比と相関が強く、一般に触媒上流の空燃比が理論空燃比より高い（リーンである）ときには酸素吸着量が多くなっているので、ここでは簡易的に、燃料増量前に空燃比センサ１２６により検出される空燃比が理論空燃比より高い場合、オーバーシュートが生じても触媒温度が限界閾値温度（Ｔｍ）を超えることがないように触媒温度推定部１１ａにより推定された温度を高い温度に補正する。そして、エンジンコントロールユニット１１は、触媒温度補正部１１ｃにより補正された触媒温度が燃料増量閾値温度（Ｔａ）より高くなった場合に、燃料噴射量を所定の量だけ増量する。
【００２７】
これにより、高負荷増量領域において、排気浄化触媒１２７の吸着酸素量が多い場合には、実際に触媒温度推定部１１ａにより推定された温度よりも高い温度に基づいて、早めに燃料が増量されるため、オーバーシュートが発生しても、排気浄化触媒１２７のピーク温度を限界閾値温度（Ｔｍ）より低く抑えることができる。すなわち、本例は、排気浄化触媒１２７の酸素吸着量とオーバーシュートによる温度上昇との関係に着目し、酸素吸着量に応じて触媒温度の推定温度を補正することで、酸素吸着量に応じて噴射燃料の増量のタイミングを設定する。
【００２８】
図２を用いて、排気浄化触媒１２７に多くの酸素が吸着している状態において、運転状態が通常の運転状態から高負荷運転状態に推移した場合の、触媒温度の推移を説明する。図２（ａ）は時間に対する運転領域の変化を説明するグラフを示す。図２（ｂ）は時間に対する排気浄化触媒１２７の入口温度及び触媒内部温度の特性を示す。図２（ｂ）において、グラフａは、高負荷領域において、酸素吸着量で補正した場合（本例）の排気浄化触媒１２７の入口温度特性を示し、グラフｂは、グラフａの特性に基づいて、燃料の増量を行った場合（本例）の触媒内部温度特性を示す。グラフｃは、高負荷領域において、酸素吸着量で補正しない場合（本例）の排気浄化触媒１２７の入口温度特性を示し、グラフｄは、グラフｃの特性に基づいて、燃料の増量を行った場合（比較例）の触媒内部温度特性を示す。図２（ｃ）は時間に対する燃料噴射量の増加率の特性を示す。
【００２９】
運転領域について、通常の運転領域から始まり、アクセルペダルを踏込むことでエンジンの負荷が時間（ｔ１）の時点から徐々に大きくなり、時間（ｔ２）の時点で運転領域が高負荷運転領域に入る。排気浄化触媒１２７については、時間（ｔ１）の時点からエンジン負荷が大きくなるため、排気浄化触媒１２７の入口温度及び触媒内部温度が上昇し始める。以下、時間（ｔ２）の時点で、酸素吸着量が、予め設定されている所定の閾値吸着量より多くなっている、とする。
【００３０】
本例の場合において、時間（ｔ２）の時点で、酸素吸着量が所定の閾値吸着量より多くなっているため、図２（ｂ）のグラフａに示すように、排気浄化触媒１２７の入口温度を高い温度に補正する。すなわち、触媒温度の推定温度を所定温度だけ高い温度に補正する。そして、本例の場合には、排気浄化触媒１２７の補正された入口温度（すなわち推定触媒温度）は時間（ｔ３）の時点で燃料増量閾値温度（Ｔａ）に達するため、エンジンコントロールユニット１１は、燃料噴射量の増量率を増量率（Ｃ）に設定することで、燃料噴射量を増量する。これにより、排気浄化触媒１２７の入口温度は下がるが、排気浄化触媒１２７の触媒内部温度はオーバーシュートにより上昇し続ける。そして、時間（ｔ６）の時点までに排気浄化触媒１２７に吸着していた多くの酸素が燃料と反応し、時間（ｔ６）の時点で排気浄化触媒１２７の触媒内部温度がピークに達し、それ以降、下がり始める。排気浄化触媒１２７の触媒内部温度のピーク温度は、限界閾値温度（Ｔｍ）より低い温度である。その後、時間（ｔ７）の時点でエンジンの負荷が下がり、通常の運転領域に戻り、エンジンコントロールユニット１１は、燃料噴射量の増量率を元に戻す。
【００３１】
一方、酸素吸着量に応じて排気浄化触媒１２７の入口温度を補正しない比較例の場合には、排気浄化触媒１２７の入口温度（すなわち推定触媒温度）は時間（ｔ４）の時点で初めて燃料増量閾値温度（Ｔａ）に達するため、エンジンコントロールユニット１１は、この時点で、燃料噴射量の増量率を増量率（Ｃ）に設定し、燃料噴射量を増量する。排気浄化触媒１２７の入口温度は下がるが、排気浄化触媒１２７の触媒内部温度はオーバーシュートにより上昇し続ける。そして、排気浄化触媒１２７に吸着していた酸素が燃料と反応し終わる前に、排気浄化触媒１２７の触媒内部温度は、時間（ｔ５）の時点で限界閾値温度（Ｔｍ）に達し、排気浄化触媒１２７の触媒内部温度のピーク温度は、限界閾値温度（Ｔｍ）より高い温度になってしまう。すなわち、時間（ｔ４）の時点で、排気浄化触媒１２７の触媒内部温度は既に高くなっているため、この時点で、燃料の増量開始したとても、オーバーシュートによる温度上昇分によって、排気浄化触媒１２７の触媒内部温度のピーク温度は、限界閾値温度（Ｔｍ）より高くなってしまう。
【００３２】
すなわち、本例では、排気浄化触媒１２７の酸素吸着量に応じて、排気浄化触媒１２７の推定温度を補正するため、排気浄化触媒１２７の触媒内部温度が高くなる前に、燃料噴射量を増量させ、オーバーシュートにより触媒内部温度が上昇しても、触媒内部温度のピーク温度を限界閾値温度（Ｔｍ）より低く抑えることができる。
【００３３】
次に、図３を用いて、エンジンコントロールユニット１１の制御手順を説明する。図３は、エンジンコントロールユニット１１の制御手順のフローチャートである。
【００３４】
エンジンコントロールユニット１１は、図３にステップを所定の周期で繰り返し行っている。まず、ステップＳ１にて、エンジンコントロールユニット１１は、アクセル開度及びエンジン回転速度から運転状態を検出し、検出した運転状態が高負荷運転領域内にあるか否かを判定する。検出した運転状態が高負荷運転領域内でない場合には、ステップＳ８２に遷移する。一方、検出した運転状態が高負荷運転領域内である場合には、ステップＳ２にて、エンジンコントロールユニット１１は、燃料噴射量を増量中であるか否かを判定する。燃料噴射量を増量中である場合には、エンジンコントロールユニット１１は、制御を終了する。一方、燃料噴射量を増量していない場合には、ステップＳ３にて、エンジンコントロールユニット１１の酸素吸着量検出部１１ｂは、空燃比センサ１２６から現在の空燃比を検出することにより、排気浄化触媒１２７に吸着している酸素吸着量を検出する。
【００３５】
ステップＳ４にて、エンジンコントロールユニット１１の触媒温度推定部１１ａは、排気温度センサ１３２により検出される温度を、排気浄化触媒の触媒温度として推定する。ステップＳ５にて、エンジンコントロールユニット１１は、検出した空燃比が理論空燃比以上であるか否かを判定する。検出した空燃比が理論空燃以上である場合には、ステップＳ６にて、触媒温度補正部１１ｃは、ステップＳ３で推定された推定触媒温度を高い温度に補正し、運転条件が増量域にある間、少なくとも所定時間（図２の例では増量域を外れるまで）は推定触媒温度を高い温度に維持する。なお、補正値は予め設定されている。一方、検出した空燃比が理論空燃未満である場合には、触媒温度補正部１１ｃは、ステップＳ３で推定された推定触媒温度を補正しない。
【００３６】
ステップＳ７にて、エンジンコントロールユニット１１は、ステップＳ４で推定された触媒温度又はステップＳ６で補正された触媒温度と、予め設定されている燃料増量閾値温度（Ｔａ）とを比較する。
【００３７】
ステップＳ４で推定された触媒温度又はステップＳ６で補正された触媒温度が燃料増量閾値温度（Ｔａ）以上である場合には、ステップＳ８１にて、エンジンコントロールユニット１１は燃料噴射量の増量率をＣに設定し、増量を行なう運転条件が継続する間は増量率をＣに維持する。そして、エンジンコントロールユニット１１は噴射バルブ１１８を制御し、設定した増量率で増量して燃料を噴射する。一方、ステップＳ４で推定された触媒温度又はステップＳ６で補正された触媒温度が燃料増量閾値温度未満である場合には、ステップＳ８２に遷移する。ステップＳ８２にて、エンジンコントロールユニット１１は、燃料噴射量の増量率をゼロに設定し、燃料噴射量を増量せず、所定の空燃比による運転を継続させる。
【００３８】
上記のように、本例は、排気浄化触媒１２７の内部に吸着する酸素の吸着量を検出し、検出された酸素の吸着量に応じて、排気浄化触媒１２７の内部の推定触媒温度を補正し、排気浄化触媒１２７の内部の推定触媒温度が設定された燃料増量閾値温度より高い場合には、燃料噴射量を増量する。これにより、本例は、燃料増量時に、排気浄化触媒１２７に吸着された酸素によって生じるオーバーシュートの温度上昇が調整されるため、触媒内部温度のピーク温度を限界閾値温度（Ｔｍ）より低く抑えつつ、噴射燃料を増加させることができる。
【００３９】
また、本例は、空燃比センサ１２６により検出される空燃比から排気浄化触媒１２７の酸素の吸着量を検出し、検出された吸着量が所定の吸着量より高い場合に、推定触媒温度を高い温度に補正する。これにより、酸素吸着量が多くオーバーシュートによる温度上昇が大きい場合には、触媒温度が低温である時点から燃料の増量を開始することができ、酸素吸着量が少なくオーバーシュートによる温度上昇が小さい場合には、触媒温度が高温である時点から燃料の増量を開始することができる。その結果として、排気浄化触媒１２７の保護と、排気及び燃費性能の向上とを両立させることができる。
【００４０】
なお、本例は、酸素吸着量に応じて触媒温度を、所定の補正値で補正するが、以下のように、酸素吸着量に応じて連続的に補正値を設定してもよい。
【００４１】
図４及び図６は酸素吸着量に対するオーバーシュートによる温度上昇の特性を示し、図５及び図７はオーバーシュートによる温度上昇に対する補正値の特性を示す。例えば図４に示すように、排気浄化触媒１２７において、オーバーシュートによる温度上昇が酸素吸着量に比例して大きくなる場合には、触媒温度推定部１１ｃは、図５に示すように、オーバーシュートによる温度上昇に対して補正値を正の傾きで比例して上がるように設定する。すなわち、エンジンコントロールユニット１１は、検出された酸素吸着量に対する補正値が正の傾きで比例の関係となるように補正値を設定することで、検出された酸素吸着量が多いほど補正値を高くする。そのため、補正後の触媒温度は、検出された酸素吸着量が多いほど高い温度になる。
【００４２】
また、例えば図６に示すように、排気浄化触媒１２７において、オーバーシュートによる温度上昇が酸素吸着量の増量に伴い上昇し、ある酸素吸着量から急に上昇する場合には、触媒温度補正部１１ｃは、図７に示すように、オーバーシュートによる温度上昇に対する補正値を、あるオーバーシュートの温度上昇までは小さな変化で上げて、当該あるオーバーシュートの温度上昇から変化を大きくして上がるように設定する。すなわち、触媒温度補正部１１ｃは、検出された酸素吸着量に対する補正値が、所定の酸素吸着量に増加するまでは小さな変化で徐々に上げて、当該所定の酸素吸着量を越えて増加するにつれて大きな変化で急に上がるように、補正値を設定することで、検出された酸素吸着量が多いほど燃料増量温度閾値を低くする。
【００４３】
これにより、酸素吸着量が多いほど、推定触媒温度を高い温度に補正するため、オーバーシュートによる温度上昇が大きいほど、触媒温度が低い時点から燃料の増量を開始することができ、酸素吸着量が少なくオーバーシュートによる温度上昇が小さいほど、触媒温度が高温である時点から燃料の増量を開始することができる。その結果として、排気浄化触媒１２７の保護と、排気及び燃費性能の向上とを両立させることができる。
【００４４】
なお、酸素吸着量検出部１１ｂは、酸素センサ１２８により検出される酸素濃度を用いて、排気浄化触媒１２７の吸着酸素量を検出してもよい。すなわち、酸素吸着量検出部１１ｂは、排気浄化触媒１２７の上流側に設けられた空燃比センサ１２６により検出された空燃比から排気浄化触媒１２７に供給される酸素量を検出し、排気浄化触媒１２７の下流側に設けられた酸素センサ１２８により検出された酸素濃度から排気浄化触媒１２７から排出される酸素量を検出することができるため、これらの検出値から排気浄化触媒１２７に吸着された酸素量を検出すればよい。
【００４５】
また、本例において、排気浄化触媒１２７の上流側に酸素センサを設け、酸素吸着量検出部１１ｂは、当該酸素センサの検出値から排気浄化触媒１２７の酸素吸着量を検出してもよく、または、排気浄化触媒１２７の下流側に空燃比センサを設け、酸素吸着量検出部１１ｂは、当該空燃比センサの検出値から排気浄化触媒１２７の酸素吸着量を検出してもよい。
【００４６】
また本例において、酸素吸着量検出部１１ｂは、空燃比センサ１２６により検出される空燃比とエアフローメータ１１３により検出される吸入空気量とを用いて、酸素吸着量を検出してもよい。図８は、検出空燃比に排気ガス量を乗じた値に対するオーバーシュートによる温度上昇の特性を示す。
【００４７】
排気浄化触媒１２７に吸着する酸素量は、触媒に供給される酸素量と相関性を持ち、供給酸素量は、触媒を通過する排気ガス量に現在の空燃比を乗じた値から算出される。排気浄化触媒１２７を通過する排気ガス量は、エアフローメータ１１３により検出される吸気空気量とみなせることができる。酸素吸着量検出部１１ｂは、エアフローメータ１１３により検出された吸気空気量に、空燃比センサ１２６により検出された空燃比を乗じた値から排気浄化触媒１２７への酸素供給量を算出し、算出された供給酸素量を酸素吸着量とする。
【００４８】
そして、図８に示すように、排気浄化触媒１２７において、オーバーシュートによる温度上昇が、排気ガス量に現在の空燃比を乗じた値の増量に伴い上昇し、ある値から急に上昇する場合には、触媒温度補正部１１ｃは、酸素吸着量に対する補正値が、所定の酸素吸着量に増加するまでは小さな変化で徐々に上げて、当該所定の酸素吸着量を越えて増加するにつれて大きな変化で上がるように、補正値を設定することで、検出された酸素吸着量が多いほど補正値を高くする。
【００４９】
これにより、酸素吸着量が多くオーバーシュートによる温度上昇が大きいほど、触媒温度が低い時点から燃料の増量を開始することができ、酸素吸着量が少なくオーバーシュートによる温度上昇が小さいほど、触媒温度が高温である時点から燃料の増量を開始することができる。その結果として、排気浄化触媒１２７の保護と、排気及び燃費性能の向上とを両立させることができる。また、本例は、酸素吸着量を直接、センサ等により検出しなくてもよいため、燃料制御装置の構造の複雑化及び制御の複雑化を防ぐことができる。
【００５０】
上記において、図２を用いて、運転状態が通常の運転状態から高負荷運転状態に推移した場合における制御を説明したが、本例は必ずしも通常の運転状態から高負荷運転状態に推移した場合のみの制御に限らず、燃料カット領域から高負荷運転状態に推移した場合においても、上記の制御を行ってもよい。
【００５１】
上記エンジンコントロールユニット１１は本発明にかかる「制御手段」に相当し、上記触媒温度推定部１１ａが「触媒温度推定手段」に、上記酸素吸着量検出部１１ｂが「酸素吸着量検出手段」に、上記触媒温度補正部１１ｃが「触媒温度補正手段」に、燃料増量閾値温度（Ｔａ）が「閾値温度」に相当する。
【符号の説明】
【００５２】
１１…エンジンコントロールユニット
１１ａ…触媒温度推定部
１１ｂ…酸素吸着量検出部
１１ｃ…触媒温度推定部
１１１，１１１ａ…吸気通路
１１２…エアーフィルタ
１１３…エアフローメータ
１１４…スロットルバルブ
１１５…コレクタ
１１６…スロットルバルブアクチュエータ
１１７…スロットルセンサ
１１８…燃料噴射バルブ
１１９…シリンダ
１２０…ピストン
１２１…吸気バルブ
１２２…排気バルブ
１２３…燃焼室
１２４…点火プラグ
１２５…排気通路
１２６…空燃比センサ
１２７…排気浄化触媒
１２８…酸素センサ
１２９…マフラ
１３０…クランク軸
１３１…クランク角センサ
１３２…排気温度センサ
【図１】
2012251428.tif 000003
【図２】
2012251428.tif 000004
【図３】
2012251428.tif 000005
【図４】
2012251428.tif 000006
【図５】
2012251428.tif 000007
【図６】
2012251428.tif 000008
【図７】
2012251428.tif 000009
【図８】
2012251428.tif 000010